【手続補正書】
【提出日】平成25年12月18日(2013.12.18)
【手続補正１】
【補正対象書類名】特許請求の範囲
【補正対象項目名】全文
【補正方法】変更
【補正の内容】
【特許請求の範囲】
【請求項１】
装置であって、
少なくとも部分的に入力信号に基づく第１の調整電圧を受け取る容量性ネットワークと、前記容量性ネットワークに結合されるスイッチド・キャパシタ・アレイとを有する、電圧制御発振器（ＶＣＯ）と、
前記第１の調整電圧と参照電圧とを受け取り、前記参照電圧と前記第１の調整電圧との間の差を増幅する、増幅器と、
前記参照電圧と、前記参照電圧と前記第１の調整電圧との間の前記増幅された差とを受け取る、スイッチと、
前記スイッチからの出力を受け取り、第２の調整電圧を生成する、キャリブレーションキャパシタと、
前記入力信号と前記第２の調整電圧とを受け取る制御ループであって、前記装置がリセットするとき前記参照電圧を前記キャリブレーションキャパシタに印加するように前記制御ループが前記スイッチを制御し、更に、前記ＶＣＯの静電容量を調節して位相と周波数ロックとを全般的に維持するように前記制御ループが前記スイッチド・キャパシタ・アレイを制御する、前記制御ループと、
を含む、装置。
【請求項２】
請求項１に記載の装置であって、
前記ＶＣＯが、前記容量性ネットワークに結合される誘導性ネットワークと、前記容量性ネットワークに結合されるＶＣＯ増幅器とを更に含む、装置。
【請求項３】
請求項１に記載の装置であって、
前記制御ループが、プレシジョン・ロック検出器と、前記プレシジョン・ロック検出器に結合されるウィンドウ調節回路と、前記ウィンドウ調節回路に結合されるナローウィンドウ回路と、前記ウィンドウ調節回路に結合されるワイドウィンドウ調節回路と、前記入力信号を受け取る分周器と、前記ウィンドウ調節回路と前記分周器とに結合されるオンオフコントローラと、前記オンオフコントローラと前記スイッチド・キャパシタ・アレイとに結合されるカウンタとを更に含む、装置。
【請求項４】
請求項３に記載の装置であって、
前記オンオフコントローラが、
第１の入力端子と第２の入力端子と出力端子とを有する第１のコンパレータであって、前記第１のコンパレータの前記第１の入力端子が前記スイッチに結合され、前記第１のコンパレータの前記第２の入力端子が前記ウィンドウ調節回路に結合される、前記第１のコンパレータと、
第１の入力端子と第２の入力端子と出力端子とを有する第２のコンパレータであって、前記第２のコンパレータの前記第１の入力端子が前記スイッチに結合され、前記第２のコンパレータの前記第２の入力端子が前記ウィンドウ調節回路に結合される、前記第２のコンパレータと、
を更に含む、装置。
【請求項５】
請求項４に記載の装置であって、
前記オンオフコントローラが、
前記分周器に結合される第１のインバータと、
前記第１のコンパレータの前記出力端子と前記分周器とに結合される第１のフリップフロップと、
前記第１のフリップフロップと前記カウンタとの間に接続される第２のインバータと、
前記第１のフリップフロップと前記第１のインバータとに結合される第２のフリップフロップと、
第２のコンパレータの前記出力端子と前記分周器とに結合される第３のフリップフロップと、
前記第３のフリップフロップと前記第１のインバータとに結合される第４のフリップフロップと、
前記第３及び第４のフリップフロップの各々と前記カウンタとに結合される第１の論理ゲートと、
前記第１及び第２のフリップフロップの各々と前記スイッチとに結合される第２の論理ゲートと、
を更に含む、装置。
【請求項６】
請求項５に記載の装置であって、
前記第１、第２、第３及び第４のフリップフロップがＤフリップフロップである、装置。
【請求項７】
請求項５に記載の装置であって、
前記第１及び第２の論理ゲートがＯＲゲートである、装置。
【請求項８】
請求項１に記載の装置であって、
前記スイッチがマルチプレクサである、装置。
【請求項９】
請求項１に記載の装置であって、
前記スイッチが単極双投スイッチである、装置。
【請求項１０】
装置であって、
入力信号を受け取る位相／周波数検出器（ＰＦＤ）と、
前記ＰＦＤに結合されるチャージポンプと、
前記チャージポンプに結合され、第１の調整電圧を生成する、ループフィルタと、
前記第１の調整電圧と参照電圧とを受け取る増幅器と、
第１の入力端子と第２の入力端子と出力端子とを有するスイッチであって、前記第１の入力端子が前記参照電圧を受け取り、前記第２の入力端子が前記増幅器に結合される、前記スイッチと、
前記スイッチの前記出力端子に結合され、第２の調整電圧を生成する、キャリブレーションキャパシタと、
ＶＣＯであって、容量性ネットワークに結合される誘導性ネットワークと、前記誘導性ネットワークに結合される容量性ネットワークであって、前記第１及び第２の調整電圧を受け取るように前記ループフィルタとキャリブレーションキャパシタとに結合される、前記容量性ネットワークと、前記誘導性ネットワークに結合されるスイッチド・キャパシタ・アレイと、前記誘導性ネットワークに結合されるＶＣＯ増幅器とを有する、前記ＶＣＯと、
前記ＶＣＯと前記ＰＦＤとに結合される分周器と、
前記入力信号を受け取り、前記スイッチと前記キャリブレーションキャパシタと前記スイッチド・キャパシタ・アレイとに結合される制御ループであって、前記装置がリセットするとき前記参照電圧を前記キャリブレーションキャパシタに印加するように前記制御ループが前記スイッチを制御し、更に、前記ＶＣＯの静電容量を調整して位相と周波数ロックとを全般的に維持するように前記制御ループが前記スイッチド・キャパシタ・アレイを制御する、前記制御ループと、
を含む、装置。
【請求項１１】
請求項１０に記載の装置であって、
前記分周器が第１の分周器であり、
前記制御ループが、前記ＰＦＤに結合されるプレシジョン・ロック検出器と、前記プレシジョン・ロック検出器に結合されるウィンドウ調節回路と、前記ウィンドウ調節回路に結合されるナローウィンドウ回路と、前記ウィンドウ調節回路に結合されるワイドウィンドウ調節回路と、前記入力信号を受け取る第２の分周器と、前記ウィンドウ調節回路と前記第２の分周器とに結合されるバンバンコントローラと、前記バンバンコントローラと前記スイッチド・キャパシタ・アレイに結合されるカウンタとを更に含む、装置。
【請求項１２】
請求項１１に記載の装置であって、
前記バンバンコントローラが、
第１の入力端子と第２の入力端子と出力端子とを有する第１のコンパレータであって、前記第１のコンパレータの前記第１の入力端子が前記スイッチに結合され、前記第１のコンパレータの前記第２の入力端子が前記ウィンドウ調節回路に結合される、前記第１のコンパレータと、
第１の入力端子と第２の入力端子と出力端子とを有する第２のコンパレータであって、前記第２のコンパレータの前記第１の入力端子が前記スイッチに結合され、前記第２のコンパレータの前記第２の入力端子が前記ウィンドウ調節回路に結合される、前記第２のコンパレータと、
を更に含む、装置。
【請求項１３】
請求項１２に記載の装置であって、
前記バンバンコントローラが、
前記分周器に結合される第１のインバータと、
第１のコンパレータの前記出力端子と前記分周器とに結合される第１のフリップフロップと、
前記第１のフリップフロップと前記カウンタとの間に接続される第２のインバータと、
前記第１のフリップフロップと前記第１のインバータとに結合される第２のフリップフロップと、
前記第２のコンパレータの前記出力端子と前記分周器とに結合される第３のフリップフロップと、
前記第３のフリップフロップと前記第１のインバータとに結合される第４のフリップフロップと、
前記第３及び第４のフリップフロップの各々と前記カウンタとに結合される第１の論理ゲートと、
前記第１及び第２のフリップフロップの各々と前記スイッチとに結合される第２の論理ゲートと、
を更に含む、装置。
【請求項１４】
請求項１３に記載の装置であって、
前記第１、第２、第３及び第４のフリップフロップがＤフリップフロップである、装置。
【請求項１５】
請求項１４に記載の装置であって、
前記第１及び第２の論理ゲートがＯＲゲートである、装置。
【請求項１６】
請求項１０に記載の装置であって、
前記スイッチがマルチプレクサである、装置。
【請求項１７】
請求項１０に記載の装置であって、
前記スイッチが単極双投スイッチである、装置。
【請求項１８】
装置であって、
入力信号を受け取るＰＦＤと、
前記ＰＦＤに結合されるチャージポンプと、
前記チャージポンプに結合されるループフィルタであって、第１の調整電圧を生成する、前記ループフィルタと、
前記第１の調整電圧と参照電圧とを受け取る増幅器と、
第１の入力端子と第２の入力端子と出力端子とを有するスイッチであって、前記第１の入力端子が前記参照電圧を受け取り、前記第２の入力端子が前記増幅器に結合される、前記スイッチと、
前記スイッチの前記出力端子に結合され、第２の調整電圧を生成する、キャリブレーションキャパシタと、
ＶＣＯであって、容量性ネットワークに結合される誘導性ネットワークと、前記誘導性ネットワークに結合される容量性ネットワークであって、前記第１及び第２の調整電圧を受け取るように前記ループフィルタとキャリブレーションキャパシタとに結合される、前記容量性ネットワークと、前記誘導性ネットワークに結合されるスイッチド・キャパシタ・アレイと、前記誘導性ネットワークに結合されるＶＣＯ増幅器とを有する、前記ＶＣＯと、
前記ＶＣＯと前記ＰＦＤとに結合される第１の分周器と、
制御ループであって、前記ＰＦＤに結合されるプレシジョン・ロック検出器と、第１の入力端子と第２の入力端子と出力端子とを有する第１のコンパレータであって、前記第１のコンパレータの前記第１の入力端子が前記スイッチに結合され、前記第１のコンパレータの前記第２の入力端子が前記ウィンドウ調節回路に結合される、前記第１のコンパレータと、第１の入力端子と第２の入力端子と出力端子とを有する第２のコンパレータであって、前記第２のコンパレータの前記第１の入力端子が前記スイッチに結合され、前記第２のコンパレータの前記第２の入力端子が前記ウィンドウ調節回路に結合される、前記第２のコンパレータと、前記入力信号を受け取る第２の分周器と、前記第２の分周器に結合される第１のインバータと、前記第２のコンパレータの前記出力端子と前記分周器とに結合される第１のＤフリップフロップと、前記第１のＤフリップフロップに結合される第２のインバータと、前記第１のＤフリップフロップと前記第１のインバータとに結合される第２のＤフリップフロップと、前記第２のコンパレータの前記出力端子と前記分周器とに結合される第３のＤフリップフロップと、第３のＤフリップフロップと前記第１のインバータとに結合される第４のＤフリップフロップと、前記第３及び第４のＤフリップフロップの各々に結合される第１のＯＲゲートと、前記第１及び第２のＤフリップフロップの各々と前記第１のコンパレータの前記第２の入力端子とに結合される第２のＯＲゲートと、前記第２のインバータと前記第２のＯＲゲートと前記スイッチド・キャパシタ・アレイとに結合されるカウンタとを有する、前記制御ループと、
を含む、装置。
【請求項１９】
請求項１８に記載の装置であって、
前記スイッチがマルチプレクサである、装置。
【請求項２０】
請求項１８に記載の装置であって、
前記スイッチが単極双投スイッチである、装置。